(57)【要約】【課題】電源ユニットの情報を外部から視認可能に表示する。【解決手段】実施形態に係る電源ユニット２０は、電源端子台２１と、通信用コネクタ２４と、出力コネクタ２３とを備える。電源端子台２１は、商用電源を接続する。通信用コネクタ２４は、調光信号が入力され、ＬＥＤインジケータを具備する。出力コネクタ２３は、照明器具１０へ電源線を接続する。【選択図】図２
2019175593.tif 000002
【特許請求の範囲】
【請求項１】
商用電源を接続する電源端子台と；
調光信号が入力され、インジケータを具備する通信用コネクタと；
照明器具へ電源線を接続する出力コネクタと；
を備えたことを特徴とする電源ユニット。
【請求項２】
前記インジケータは、前記電源ユニットの内部の情報を外部に表示可能であることを特徴とする請求項１に記載の電源ユニット。
【請求項３】
前記インジケータは、前記電源ユニットの内部の情報として、商用電源の受電有無、通信装置の受電有無、通信信号の受信有無、または設定情報を外部に表示可能であることを特徴とする請求項２に記載の電源ユニット。
【請求項４】
前記インジケータは、前記設定情報が遠隔からの通信により変更された場合に点灯することを特徴とする請求項３に記載の電源ユニット。
【請求項５】
光源を有する照明器具と、
請求項１ないし４のいずれか一に記載の電源ユニットと；
を備えたことを特徴とする照明装置。
【発明の詳細な説明】
【技術分野】
【０００１】
本発明の実施形態は、電源ユニットおよび照明装置に関する。
【背景技術】
【０００２】
従来、天井等に埋め込んで使用される照明器具には、その光源に電力を供給するための電源ユニットが接続されている。この電源ユニットには、商用電源の電源線が接続される電源端子台や、調光信号が入力されるコネクタが設けられている。また、照明装置の施工を行う場合には、電源ユニットを施工した後に照明器具が接続される。
【先行技術文献】
【特許文献】
【０００３】
【特許文献１】特開２０１０−２５７５９０号公報
【発明の概要】
【発明が解決しようとする課題】
【０００４】
しかしながら、従来は、電源ユニットの施工時の配線の誤りや通信装置の故障は、照明器具を接続して点灯させてみないとわからない場合があった。
【０００５】
本発明は、電源ユニットの情報を外部から視認可能に表示することを目的とする。
【課題を解決するための手段】
【０００６】
実施形態の一例に係る電源ユニットは、商用電源を接続する電源端子台と；調光信号が入力され、インジケータを具備する通信用コネクタと；照明器具へ電源線を接続する出力コネクタと；を備えたことを特徴とする。
【発明の効果】
【０００７】
本発明によれば、電源ユニットの情報を外部から視認可能に表示することができる。
【図面の簡単な説明】
【０００８】
【図１】図１は、実施形態に係る照明器具の斜視図である。
【図２】図２は、実施形態に係る電源ユニットの斜視図である。
【図３】図３は、実施形態に係る電源ユニットの側面図である。
【発明を実施するための形態】
【０００９】
以下で説明する実施形態に係る電源ユニット２０は、電源端子台２１と、通信用コネクタ２４と、出力コネクタ２３とを備える。電源端子台２１は、商用電源を接続する。通信用コネクタ２４は、調光信号が入力され、ＬＥＤインジケータ２５を具備する。出力コネクタ２３は、照明器具へ電源線を接続する。
【００１０】
以下で説明する実施形態に係る電源ユニット２０において、ＬＥＤインジケータ２５は、電源ユニット２０の内部の情報を外部に表示可能である。
【００１１】
以下に説明する実施形態に係る電源ユニット２０において、ＬＥＤインジケータ２５は、電源ユニット２０の内部の情報として、商用電源の受電有無、通信装置の受電有無、通信信号の受信有無、または設定情報を外部に表示可能である。
【００１２】
以下に説明する実施形態に係る電源ユニット２０において、ＬＥＤインジケータ２５は、設定情報が遠隔からの通信により変更された場合に点灯する。
【００１３】
以下に説明する実施形態に係る照明装置は、光源を有する照明器具１０と、上記の実施形態に係る電源ユニット２０とを備える。
【００１４】
以下、図面を参照して、実施形態に係る照明装置について説明する。実施形態において同一の部位には同一の符号を付し、重複する説明は省略される。
【００１５】
まず、図１〜図３を用いて、実施形態に係る照明装置の基本的な構成の一例について説明する。実施形態に係る照明装置は、照明器具１０と電源ユニット２０とを有する。図１は、実施形態に係る照明器具１０の斜視図である。また、図２は、実施形態に係る電源ユニット２０の斜視図である。また、図３は、電源ユニット２０の側面図である。
【００１６】
図１に示すように、照明器具１０は、例えば天井板等の天井部材に形成された円形の埋込穴に埋め込み設置されるダウンライトである。照明器具１０は、光源を有する照明装置の本体部であり、前述の埋込孔に埋め込み設置される部位である。照明器具１０は、略円筒状に形成された枠体１１を備える。枠体１１の内部には、図示略の光源ユニットが、例えば着脱可能に取り付けられる。
【００１７】
光源ユニットは、光源体が発光する光を、枠体１１の下方に設けられている開口部を介して照射する。この光源ユニットには、枠体１１の内部に取り付けられた場合に枠体１１の外周方向に突出するように、受電コネクタ１２が設けられている。照明器具１０は、受電コネクタ１２を介して、電源ユニット２０に接続される。
【００１８】
なお、光源ユニットは、発光モジュールが、発光出力や発光色の違いに応じた複数種の種類を有する場合、その種類を電源ユニット２０で判別できるようにして、種類毎に適切な点灯電源が電源ユニット２０から給電されるように構成されている。例えば、発光モジュールから電源ユニット２０へ、その種類に応じた信号が出力されるように構成されている。
【００１９】
電源ユニット２０は、照明器具１０へ給電する。図２、図３に示すように、電源ユニット２０は、板金を折曲して概略直方体形状に形成されたケース内に、電源端子台２１、電源基板２２、出力コネクタ２３、および通信用コネクタ２４、ＬＥＤインジケータ２５、通信用コネクタ２４が設けられた制御基板２７等を備える。
【００２０】
電源端子台２１は、商用電源の電源線挿入用の複数の接続端子を有し、商用電源を接続する。出力コネクタ２３には、照明器具１０への電源線が接続される。
【００２１】
電源基板２２には、電源基板２２および制御基板２７に所定の直流電圧を供給するための電源回路および照明器具１０の光源ユニットに点灯電力を供給するための点灯回路が搭載される。また、電源基板２２の電源回路は、商用交流電源から電源端子台２１を介して入力された交流電圧を所定の直流電圧に変換し、電源基板２２および制御基板２７に供給する。また、点灯回路は、商用交流電源を制御信号に応じた直流電圧に変換し、出力コネクタ２３を介して照明器具１０へ出力する。
【００２２】
なお、電源ユニット２０では、電源基板２２で変換された電源が制御基板２７に給電され、制御基板２７に搭載される制御回路が起動した場合に、外部の通信装置と通信可能となる。
【００２３】
通信用コネクタ２４には、例えば通信装置が接続され、ＤＭＸ規格の制御信号が入力される。制御信号には、照明器具１０を特定するための制御アドレス、例えばＤＭＸアドレスやＲＤＭアドレス、調光カーブ、モード設定等に関する情報が含まれる。自己に設定された制御アドレスを含む制御信号を受信した電源ユニット２０は、制御信号に従って制御を行う。モード設定は、例えば色温度を変化させる場合の変化のさせ方等の設定であるが、これに限らない。また、モード設定は、制御信号で設定してもよいし、電源ユニット２０に設けられたロータリスイッチ等のスイッチで設定してもよい。
【００２４】
実施形態の電源ユニット２０には、２つの通信用コネクタ２４ａ，２４ｂが備わっている。２つの通信用コネクタ２４ａ，２４ｂは、例えば、複数の電源ユニット２０を接続する場合に、通信装置あるいは隣接する電源ユニット２０からの入力用、あるいは隣接する電源ユニット２０への送り用として使い分けられる。
【００２５】
なお、複数の電源ユニット２０が接続される場合に、末端の電源ユニット２０において、終端抵抗スイッチ２６がＯＮに設定される。この設定情報は、通信装置により遠隔から設定されることも可能である。
【００２６】
ここで、図３に示すように、実施形態の通信用コネクタ２４は、それぞれ２つのＬＥＤインジケータ２５が設けられる。すなわち、電源ユニット２０には、４つのＬＥＤインジケータ２５ａ〜２５ｄが備わっている。
【００２７】
このＬＥＤインジケータ２５は、電源ユニット２０の内部の情報を外部に表示可能である。例えば、ＬＥＤインジケータ２５は、電源ユニット２０の内部の情報として、商用電源の受電有無、制御基板２７の受電有無、通信信号の受信有無、または設定情報を外部に表示可能である。
【００２８】
具体的には、ＬＥＤインジケータ２５は、所定の表示形態で電源ユニット２０の内部の情報を表示する。各ＬＥＤインジケータ２５ａ〜２５ｄの表示形態には、例えば緑または橙の点灯／消灯／点滅の９パターンが例示される。
【００２９】
電源ユニット２０は、４つのうちいずれか所定のＬＥＤインジケータ２５ａ〜２５ｄを用いて、所定の表示形態により内部の情報を表示する。電源ユニット２０は、４つのうち２つ以上の所定のＬＥＤインジケータ２５ａ〜２５ｄの組み合わせを用いて、所定の表示形態の組み合わせで情報を表示してもよい。
【００３０】
例えば、電源ユニット２０は、電源基板２２が商用電源を受電している場合に、ＬＥＤインジケータ２５ａを緑で点灯させるなど、所定のＬＥＤインジケータ２５ａ〜２５ｄを用いて所定の表示形態で表示する。あるいは、電源ユニット２０は、制御基板が起動されて外部の通信装置と通信可能な状態になった場合に、ＬＥＤインジケータ２５ｂを緑で点灯させるなど、所定のＬＥＤインジケータ２５ａ〜２５ｄを用いて所定の表示形態で表示する。あるいは、電源ユニット２０は、調光信号を受信している場合に、ＬＥＤインジケータ２５ｂを緑で点滅させるなど、所定のＬＥＤインジケータ２５ａ〜２５ｄを用いて所定の表示形態で表示する。
【００３１】
あるいは、ＬＥＤインジケータ２５は、所定の設定情報の設定エラー等の状態や、エラー種別等を、所定のＬＥＤインジケータ２５ａ〜２５ｄを用いて所定の表示形態で表示する。あるいは、ＬＥＤインジケータ２５は、設定情報が遠隔からの通信により変更された場合に点灯する。
【００３２】
例えば、電源ユニット２０は、複数の電源ユニット２０が接続される場合に、末端の電源ユニット２０であることを示す終端抵抗スイッチ２６の設定がＯＮである状態を、所定のＬＥＤインジケータ２５ａ〜２５ｄを用いて所定の表示形態で表示する。例えば、ＬＥＤインジケータ２５ｄを橙で点灯させる。あるいは、電源ユニット２０は、末端の電源ユニット２０であることを示す終端抵抗スイッチ２６の設定が通信装置により遠隔からＯＮにされた場合に、所定のＬＥＤインジケータ２５ａ〜２５ｄを用いて、所定の表示形態で点灯させて表示する。例えば、ＬＥＤインジケータ２５ｄを橙で点滅させる。ＬＥＤインジケータ２５ｃとＬＥＤインジケータ２５ｄとを同時に橙で点滅させたり、一方を橙で点灯させ一方を橙で点灯させたりしてもよい。
【００３３】
上述してきたように、実施形態に係る電源ユニット２０は、電源端子台２１と、通信用コネクタ２４と、出力コネクタ２３とを備える。電源端子台２１は、商用電源を接続する。通信用コネクタ２４は、調光信号が入力され、ＬＥＤインジケータ２５を具備する。出力コネクタ２３は、照明器具へ電源線を接続する。これにより、施工時や点検時等に、照明器具１０を接続しなくても、電源ユニット２０の情報を外部から視認可能に表示して、容易に確認できるようになる。
【００３４】
また、電源ユニット２０において、ＬＥＤインジケータ２５は、電源ユニット２０の内部の情報を外部に表示可能である。これにより、電源ユニット２０の内部の情報を外部から容易に視認可能にすることができる。
【００３５】
また、電源ユニット２０において、ＬＥＤインジケータ２５は、電源ユニット２０の内部の情報として、商用電源の受電有無、制御基板２７の受電有無、通信信号の受信有無、または設定情報を外部に表示可能である。これにより、商用電源の受電状態や、通信装置の不具合、調光信号を受信していない場合等に、電源ユニット２０の状態を、外部から容易に視認できるようになる。
【００３６】
また、電源ユニット２０において、ＬＥＤインジケータ２５は、設定情報が遠隔からの通信により変更された場合に点灯する。これにより、電源ユニット２０の設定に関する情報を外部から容易に視認できるようになる。
【００３７】
また、実施形態に係る照明装置は、光源を有する照明器具１０と、上記の実施形態に係る電源ユニット２０とを備える。これにより、施工時や点検時等に、照明器具１０を点灯させなくても、電源ユニット２０の状態を外部から視認可能に表示して、容易に確認できるようになる。
【００３８】
なお、上述した実施形態では、照明器具１０がダウンライトである場合を例に挙げたが、ダウンライトに限られるものではなく、非常灯などでもよい。また、光源ユニットは、ＬＥＤ、白熱電球、蛍光ランプ、高輝度放電ランプなどでもよい。また、電源ユニット２０は照明器具１０用に限られるものではなく、他の電気機器にも適用可能である。
【００３９】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４０】
１０  照明器具
１１  枠体
１２  受電コネクタ
２０  電源ユニット
２１  電源端子台
２２  電源基板
２３  出力コネクタ
２４  通信用コネクタ
２５  ＬＥＤインジケータ
２６  終端抵抗スイッチ
２７  制御基板
【図１】
2019175593.tif 000003
【図２】
2019175593.tif 000004
【図３】
2019175593.tif 000005